(57)【要約】【課題】送信信号のピーク電力を抑圧する送信機で、送信信号に発生するピーク電力を効果的に抑圧する。【解決手段】送信信号のピーク電力を抑圧する送信機において、複数のピーク抑圧信号生成手段１３、１４、１５が送信信号のピーク電力を抑圧するためのピーク抑圧信号を生成し、ピーク抑圧信号合成手段１６が複数のピーク抑圧信号生成手段１３、１４、１５により生成されたピーク抑圧信号を合成し、減算手段１７がピーク抑圧信号合成手段１６により得られた合成結果の信号を送信信号から減算する。【選択図】  図１
2008199641.tif 000002
【特許請求の範囲】
【請求項１】
送信信号のピーク電力を抑圧する送信機において、
前記送信信号のピーク電力を抑圧するためのピーク抑圧信号を生成する複数のピーク抑圧信号生成手段と、
前記複数のピーク抑圧信号生成手段により生成されたピーク抑圧信号を合成するピーク抑圧信号合成手段と、
前記ピーク抑圧信号合成手段により得られた合成結果の信号を前記送信信号から減算する減算手段と、
を備えたことを特徴とする送信機。
【請求項２】
請求項１に記載の送信機において、
前記ピーク抑圧信号生成手段は、複数であるＮ個備えられて、直列に配置されており、
（Ｎ−１）個の抑圧信号減算手段を直列に配置して備え、
１段目のピーク抑圧信号生成手段は、前記送信信号を入力してピーク抑圧信号を生成し、
１段目の抑圧信号減算手段は、前記送信信号から前記１段目のピーク抑圧信号生成手段により生成されたピーク抑圧信号を減算し、
ｉ［ｉ＝２〜Ｎ−１］段目の抑圧信号減算手段は、（ｉ−１）段目の抑圧信号減算手段により得られた減算結果の信号からｉ段目のピーク抑圧信号生成手段により生成されたピーク抑圧信号を減算し、
ｊ［ｊ＝２〜Ｎ］段目のピーク抑圧信号生成手段は、（ｊ−１）段目の抑圧信号減算手段により得られた減算結果の信号を入力してピーク抑圧信号を生成する、
ことを特徴とする送信機。
【請求項３】
請求項２に記載の送信機において、
前記複数のピーク抑圧信号生成手段のうちの少なくとも１個のピーク抑圧信号生成手段は、フィルタ係数を使用して帯域制限したピーク抑圧信号を生成する、
ことを特徴とする送信機。
【発明の詳細な説明】
【技術分野】
【０００１】
本発明は、例えば、広帯域符号分割多重アクセス（Ｗ−ＣＤＭＡ：Ｗｉｄｅｂａｎｄ−Ｃｏｄｅ  Ｄｉｖｉｓｉｏｎ  Ｍｕｌｔｉｐｌｅ  Ａｃｃｅｓｓ）などの通信方式を使用して無線により通信する移動体通信システムの送信機に関し、特に、送信信号に発生するピーク電力を検出して抑圧する技術に関する。
【背景技術】
【０００２】
送信機では、ピーク電力抑圧手段を備えて、送信信号に発生するピーク電力を検出して抑圧することが行われている（例えば、特許文献１参照。）。
図１３には、ピーク電力抑圧手段２０３の内部構成の一例を示してある。
電力算出手段２１１は、入力信号に対してサンプル毎の電力値を計算する。ピーク電力検出手段２１２は、入力信号の電力値をサンプル毎に設定されている閾値電力値と比較し、閾値電力値よりも大きな電力値であるサンプルをピーク電力であると判断する。ピーク抑圧率算出手段２１３は、ピーク電力値と閾値電力値との比を求めてピーク電力を閾値レベルにまで抑圧するための所定の比率（ピーク抑圧率）を計算する。窓関数乗算手段２１４は、予めメモリに記憶された窓関数をピーク抑圧率に乗算し、ピーク電力とその周辺のサンプルに対する抑圧率を決定する。
【０００３】
ここで、ピーク電力が連続して検出された場合には、連続したピーク電力の中で最大レベルのピーク電力を選択して窓関数を乗算すると、最大ピークの周りのピーク電力も良好に抑圧される。
また、窓関数ｗ（ｔ）としては、例えば、（式１）に示されるハニング窓や、（式２）に示されるガウス窓や、（式３）に示されるカイザー窓などが知られており、良好な特性が得られる最適なものを選択して使うことができる。
【０００４】
【数１】
2008199641.tif 000003
【０００５】
【数２】
2008199641.tif 000004
【０００６】
【数３】
2008199641.tif 000005
【０００７】
窓掛けの乗算器２１５は、窓関数が乗算されたピーク抑圧率と入力信号とをサンプル毎に乗算し、窓掛けにより周波数帯域がキャリア近傍に抑制されたピーク抑圧信号を生成する。減算器２１６は、送信信号（入力信号）からピーク抑圧信号を減算することにより、送信信号に存在するピーク電力を設定された閾値レベルにまで抑圧する。
【０００８】
【特許文献１】特開２００５−２０５０５号公報
【発明の開示】
【発明が解決しようとする課題】
【０００９】
ところで、増幅器を備えた送信機（送信増幅器）において、送信信号にピーク電力抑圧を施す技術は、送信信号のピーク電力対平均電力比（ＰＡＰＲ：Ｐｅａｋ  ｔｏ  Ａｖｅｒａｇｅ  Ｐｏｗｅｒ  Ｒａｔｉｏ）を小さくし、電力増幅器（ＰＡ：Ｐｏｗｅｒ  Ａｍｐｌｉｆｉｅｒ）のバックオフを小さくしてその電力効率を高めるための重要な技術である。また、ＰＡＰＲが低ければ、それだけ飽和レベルが低い電力増幅器を用いることができ、電力増幅器のコスト削減につながる。
【００１０】
図１３に示されるようなピーク電力抑圧手段２０１では、ピーク抑圧信号について窓掛けを施すことで、ピーク抑圧により発生する歪の周波数帯域をキャリア近傍に抑制することが図られているが、これは、スペクトル波形の劣化を許容するため、例えば３ＧＰＰ規格などの無線特性規格を満足するためにはピーク抑圧量に限界があり、また、ピーク周辺の電力抑圧量も大きいため、送信信号の電力低下や振幅変動による信号品質の劣化が大きいなどの問題点がある。また、別のピーク抑圧手法として、送信信号と同じ帯域に帯域制限されたピーク抑圧信号を生成して送信信号に与える手法が提案されているが、これは、ピーク周辺で電力が持ち上げられるサンプルがあり、新たなピーク電力を発生させるという問題点がある。
【００１１】
本発明は、このような事情に鑑み為されたもので、送信信号に発生するピーク電力を効果的に抑圧することができる送信機を提供することを目的とする。
【課題を解決するための手段】
【００１２】
上記目的を達成するため、本発明に係る送信機では、次のような構成により、送信信号のピーク電力を抑圧する。
すなわち、ピーク抑圧信号生成手段が、前記送信信号のピーク電力を抑圧するためのピーク抑圧信号を生成する。ピーク抑圧信号合成手段が、前記複数のピーク抑圧信号生成手段により生成されたピーク抑圧信号を合成する。減算手段が、前記ピーク抑圧信号合成手段により得られた合成結果の信号を前記送信信号から減算する。
【００１３】
従って、送信信号に発生するピーク電力を効果的に抑圧することができる。
ここで、複数のピーク抑圧信号生成手段の配置としては、種々な配置が用いられてもよく、例えば、直列の配置が用いられてもよく、或いは、並列の配置が用いられてもよく、或いは、直列と並列を組み合わせた配置が用いられてもよい。
また、各ピーク抑圧信号生成手段によりピーク抑圧信号を生成するための元となる信号としては、種々な信号が用いられてもよく、例えば、前の方の段におけるピーク抑圧信号が減算された送信信号が用いられてもよく、或いは、（このような減算が行われていない）送信信号が用いられてもよい。
【００１４】
本発明に係る送信機では、一構成例として、次のような構成とした。
すなわち、前記ピーク抑圧信号生成手段は、複数であるＮ個備えられて、直列に配置されている。（Ｎ−１）個の抑圧信号減算手段を直列に配置して備える。１段目のピーク抑圧信号生成手段は、前記送信信号を入力してピーク抑圧信号を生成する。１段目の抑圧信号減算手段は、前記送信信号から前記１段目のピーク抑圧信号生成手段により生成されたピーク抑圧信号を減算する。ｉ［ｉ＝２〜Ｎ−１］段目の抑圧信号減算手段は、（ｉ−１）段目の抑圧信号減算手段により得られた減算結果の信号からｉ段目のピーク抑圧信号生成手段により生成されたピーク抑圧信号を減算する。ｊ［ｊ＝２〜Ｎ］段目のピーク抑圧信号生成手段は、（ｊ−１）段目の抑圧信号減算手段により得られた減算結果の信号を入力してピーク抑圧信号を生成する。
従って、複数のピーク抑圧信号生成手段を直列に配置した構成により、送信信号に発生するピーク電力を効果的に抑圧することができる。
【００１５】
本発明に係る送信機では、一構成例として、次のような構成とした。
すなわち、前記複数のピーク抑圧信号生成手段のうちの少なくとも１個のピーク抑圧信号生成手段は、フィルタ係数を使用して帯域制限したピーク抑圧信号を生成する。
従って、例えば、直列に配置された複数のピーク抑圧信号生成手段のうちの少なくとも１個（一例として、１段目を含む前の方の段）でフィルタ係数を使用してピーク抑圧信号を帯域制限することにより、ピーク電力の抑圧を良好に行うことができる。
【００１６】
一構成例として、本発明に係る送信機は、
前記送信信号に含まれるキャリアの周波数のパターンとフィルタ係数との対応を記憶する記憶手段と、
前記送信信号に含まれるキャリアの周波数のパターンを検出するキャリア検出手段と、を備え、
前記フィルタ係数を使用するピーク抑圧信号生成手段は、前記記憶手段の記憶内容に基づいて、前記キャリア検出手段により検出されたパターンに対応したフィルタ係数を使用する、
ことを特徴とする。
【００１７】
一構成例として、本発明に係る送信機は、
１キャリアのベースバンド信号に対応するフィルタ係数を記憶する記憶手段と、
前記送信信号に含まれるキャリアの周波数を検出するキャリア検出手段と、を備え、
前記フィルタ係数を使用するピーク抑圧信号生成手段は、前記キャリア検出手段により検出された各キャリアの周波数毎に、前記記憶手段に記憶されたフィルタ係数の帯域を当該各キャリアの周波数に合わせるように変更し、これにより当該各キャリアの周波数毎に生成されたフィルタ係数を合成し、当該合成結果のフィルタ係数を使用する、
ことを特徴とする。
【発明の効果】
【００１８】
以上説明したように、本発明では、複数のピーク抑圧信号生成手段により生成したピーク抑圧信号を合成して、当該合成結果の信号（合成ピーク抑圧信号）を送信信号から減算することにより、送信信号に発生するピーク電力を効果的に抑圧することができる。
【発明を実施するための最良の形態】
【００１９】
本発明に係る実施例を図面を参照して説明する。
本実施例では、Ｗ−ＣＤＭＡ方式を使用して移動局装置と無線通信する基地局装置の送信機にピーク電力抑圧手段を適用した場合を示す。
また、本実施例では、中間周波数（ＩＦ：Ｉｎｔｅｒｍｅｄｉａｔｅ  Ｆｒｅｑｕｅｎｃｙ）の信号を処理する場合を示し、信号はＩ相成分とＱ相成分から構成されるが、説明を簡略化するために、特に必要があるところを除いて、Ｉ相成分とＱ相成分をまとめて１つの信号として図示や説明する。信号のＩ相成分及びＱ相成分を考慮すると、例えば、信号のＩ相成分の値Ｉ及びＱ相成分の値Ｑから算出されるレベル（Ｉ２＋Ｑ２）に基づいて信号のピークに対するピーク抑圧率が算出され、Ｉ相成分とＱ相成分のそれぞれに対して同一のピーク抑圧率が乗算される。
【００２０】
なお、本実施例では、中間周波数（ＩＦ）の信号を処理するＩＦリミッタに適用した場合を示すが、他の構成例として、ベースバンド（ＢＢ：Ｂａｓｅ  Ｂａｎｄ）の信号を処理するＢＢリミッタに適用することも可能である。
例えば、ＢＢリミッタでは全てのキャリアを０ＭＨｚで扱って処理し、ＩＦリミッタでは異なる周波数を有する複数のキャリアが含まれる送信信号を扱って処理する。
【実施例１】
【００２１】
本発明の第１実施例を説明する。
図１には、本発明の一実施例に係るピーク電力抑圧手段１の構成例を示してある。
本例のピーク電力抑圧手段１は、ピーク抑圧信号生成のための２個の減算器１１、１２と、３個のピーク抑圧信号生成手段１３、１４、１５と、１個のピーク抑圧信号合成手段１６と、ピーク抑圧信号減算のための１個の減算器１７を備えている。
ここで、各ピーク抑圧信号生成手段１３、１４、１５の構成としては、任意であってもよく、例えば、全てが同一であってもよく、或いは、全てが異なってもよく、或いは、全てが同一ではないが同一なものもあるような構成が用いられてもよい。各ピーク抑圧信号生成手段１３、１４、１５の構成としては、例えば、図１３に示されるのと同様な構成や、図１３に示される構成から窓関数乗算手段２１４を除いたような構成や、図３に示されるような構成などを用いることができる。
【００２２】
本例のピーク電力抑圧手段１において行われる動作の一例を示す。
送信機による送信対象となる信号が入力され、当該入力信号が１段目のピーク抑圧信号生成手段１３と、ピーク抑圧信号生成のための１段目の減算器１１と、ピーク抑圧信号減算のための減算器１７に入力される。
１段目のピーク抑圧信号生成手段１３は、入力信号に対してピーク抑圧信号を生成して、１段目の減算器１１及びピーク抑圧信号合成手段１６へ出力する。
１段目の減算器１１は、入力された送信信号から、１段目のピーク抑圧信号生成手段１３から入力されたピーク抑圧信号を減算し、当該減算結果の信号を２段目のピーク抑圧信号生成手段１４及び２段目の減算器１２へ出力する。
【００２３】
２段目のピーク抑圧信号生成手段１４は、１段目の減算器１１からの入力信号に対してピーク抑圧信号を生成して、２段目の減算器１２及びピーク抑圧信号合成手段１６へ出力する。
２段目の減算器１２は、１段目の減算器１１から入力された信号から、２段目のピーク抑圧信号生成手段１４から入力されたピーク抑圧信号を減算し、当該減算結果の信号を３段目のピーク抑圧信号生成手段１５へ出力する。
３段目のピーク抑圧信号生成手段１５は、２段目の減算器１２からの入力信号に対してピーク抑圧信号を生成して、ピーク抑圧信号合成手段１６へ出力する。
【００２４】
ピーク抑圧信号合成手段１６は、３つのピーク抑圧信号生成手段１３、１４、１５から入力された各ピーク抑圧信号を合成して１つのピーク抑圧信号（合成ピーク抑圧信号）を生成し、生成した合成ピーク抑圧信号を減算器１７へ出力する。
減算器１７は、入力された送信信号から、ピーク抑圧信号合成手段１６から入力された合成ピーク抑圧信号を減算し、当該減算結果の信号をピーク電力が抑圧された送信信号として出力する。
なお、本例では、ピーク抑圧信号として、送信信号から減算した場合にピークを抑圧することができる信号が生成されており、つまり、ピークの抑圧分に相当する信号が生成されている。
ここで、本例では、ピーク抑圧信号生成手段１３〜１５の数（段数）が３である場合を示したが、２以上の複数個であれば、種々な数が用いられてもよい。
【００２５】
以上のように、本例では、デジタルＩＱ送信信号に存在するピーク電力を抑圧するピーク電力抑圧手段１において、その内部に、Ｎ個（Ｎは２以上の整数）のピーク抑圧信号生成手段１３〜１５と、Ｎ個のピーク抑圧信号生成手段１３〜１５によって生成されたＮ個のピーク抑圧信号のうちで少なくとも１個以上のピーク抑圧信号を合成して得られた１つのピーク抑圧信号（合成ピーク抑圧信号）を出力するピーク抑圧信号合成手段１６と、ピーク抑圧信号合成手段１６により出力された合成ピーク抑圧信号を送信信号から減算してピーク電力が抑圧された送信信号を出力する減算器１７を有する。
また、本例のピーク電力抑圧手段１では、Ｎ個のピーク抑圧信号生成手段１３〜１５は連続して配置され、１段目のピーク抑圧信号生成手段１３は送信信号を入力信号とし、２段目以降のピーク抑圧信号生成手段１４、１５はそれぞれの前段に配置されている全てのピーク抑圧信号生成手段により出力されたピーク抑圧信号と送信信号との合成信号（本例では、差信号）を入力信号とする。
【００２６】
従って、本例のピーク電力抑圧手段１では、複数のピーク抑圧信号生成手段１３〜１５により生成した複数のピーク抑圧信号を総和（合成）し、当該総和結果の信号を送信信号から減算することにより、送信信号に発生するピーク電力を検出して抑圧することを効果的に行うことができる。
【実施例２】
【００２７】
本発明の第２実施例を説明する。
図２には、本発明の一実施例に係るピーク電力抑圧手段２１の構成例を示してある。
本例のピーク電力抑圧手段２１は、ピーク抑圧信号生成のための２個の減算器３１、３２と、３個のピーク抑圧信号生成手段３３、３４、３５と、１個のピーク抑圧信号合成手段３６と、ピーク抑圧信号減算のための１個の減算器３７を備えている。
また、１段目のピーク抑圧信号生成手段３３は、電力算出手段４１と、ピーク電力検出手段４２と、ピーク抑圧率算出手段４３と、乗算器４４を備えている。
また、本例では、他のピーク抑圧信号生成手段３４、３５の構成や動作も、１段目のピーク抑圧信号生成手段３３の構成や動作と同一となっている。
【００２８】
本例のピーク電力抑圧手段２１において行われる動作の一例を示す。
なお、２段の減算器３１、３２と、３段のピーク抑圧信号生成手段３３〜３５と、ピーク抑圧信号合成手段３６と、減算器３７の配置やこれらにより行われる全体的な動作については、第１実施例に係る図１を参照して説明した動作と同様であるため、本例では、ピーク抑圧信号生成手段３３の動作について詳しく説明する。
電力算出手段４１は、入力信号のＩ相成分ＩとＱ相成分Ｑから（式４）によりサンプル毎の電力値Ｐｏｗｅｒを計算する。
【００２９】
【数４】
2008199641.tif 000006
【００３０】
ピーク電力検出手段４２は、電力算出手段４１により算出された電力値と例えば予め設定されている閾値電力値とを比較して、閾値電力値よりも電力値が大きいサンプルをピーク電力であると判断する。
ピーク抑圧率算出手段４３は、例えばピーク電力値Ｐｏｗｅｒと閾値電力値Ｔｈｒｅｓｈとの比を求めて、ピーク電力を抑圧するための抑圧率（ピーク抑圧率）を計算する。ピーク抑圧率の算出方法としては、種々な方法が用いられてもよく、一例として、（式５）により算出する方法を用いることができる。
乗算器４４は、ピーク抑圧信号生成手段３３への入力信号とピーク抑圧率算出手段４３から入力されたピーク抑圧率とを乗算し、当該乗算の結果をピーク抑圧信号として出力する。
【００３１】
【数５】
2008199641.tif 000007
【００３２】
以上のように、本例のピーク電力抑圧手段２１では、Ｎ個のピーク抑圧信号生成手段３３〜３５は、それぞれの入力信号に対してサンプル毎に電力値を算出する電力算出手段４１と、電力算出手段４１により算出された入力信号の電力値を設定されている閾値電力値と比較して閾値電力値よりも大きい場合にピーク電力であると判断するピーク電力検出手段４２と、ピーク電力検出手段４２により検出されたピーク電力値に対して閾値電力値との比を計算してピーク抑圧率を算出するピーク抑圧率算出手段４３を有する。
【実施例３】
【００３３】
本発明の第３実施例を説明する。
図３には、本発明の一実施例に係るピーク電力抑圧手段５１の構成例及びキャリア検出手段５２を示してある。
本例のピーク電力抑圧手段５１は、ピーク抑圧信号生成のための２個の減算器６１、６２と、３個のピーク抑圧信号生成手段６３、６４、６５と、１個のピーク抑圧信号合成手段６６と、ピーク抑圧信号減算のための１個の減算器６７を備えている。
また、１段目のピーク抑圧信号生成手段６３は、電力算出手段７１と、ピーク電力検出手段７２と、ピーク抑圧率算出手段７３と、フィルタ係数乗算手段７４を備えている。
また、本例では、他のピーク抑圧信号生成手段６４、６５の構成や動作としては、例えば、図２に示されるピーク抑圧信号生成手段３３の構成や動作と同様である。
【００３４】
キャリア検出手段５２は、送信機による送信対象となる信号に含まれるキャリアの状態を検出し、当該検出結果をフィルタ係数乗算手段７４へ出力する。
なお、キャリア検出手段５２の機能は、例えば、送信機に備えられた制御部が有するＣＰＵ（Ｃｅｎｔｒａｌ  Ｐｒｏｃｅｓｓｉｎｇ  Ｕｎｉｔ）により実現され、或いは、リミッタ専用の制御部を備えて、リミッタ専用の制御部が送信機全体の制御部から通知されるキャリアの状態を検出することにより実現されてもよい。
【００３５】
本例のピーク電力抑圧手段５１において行われる動作の一例を示す。
なお、２段の減算器６１、６２と、３段のピーク抑圧信号生成手段６３〜６５と、ピーク抑圧信号合成手段６６と、減算器６７の配置やこれらにより行われる全体的な動作については、第１実施例に係る図１を参照して説明した動作と同様であり、２段目以降のピーク抑圧信号生成手段６４、６５の動作については、図２に示されるピーク抑圧信号生成手段３３の動作と同様であるため、本例では、１段目のピーク抑圧信号生成手段６３の動作について詳しく説明する。
【００３６】
１段目のピーク抑圧信号生成手段６３において、電力算出手段７１と、ピーク電力検出手段７２と、ピーク抑圧率算出手段７３により行われる動作は、図２に示されるピーク抑圧信号生成手段３３に備えられた対応する各処理部４１〜４３により行われる動作と同様である。
フィルタ係数乗算手段７４は、ピーク抑圧信号生成手段６３への入力信号に基づいて、ピーク電力であるサンプルのＩ相成分及びＱ相成分に対して、ピーク抑圧率算出手段７３により算出されたピーク抑圧率を乗算し、更に、（式６）により、複素フィルタ係数を複素乗算して、例えば送信信号と同じ周波数帯域に帯域制限されたピーク抑圧信号を生成して出力する。本例では、複素フィルタ係数としては、キャリア検出手段５２から通知されるキャリアの状態に適応する値が用いられる。
【００３７】
【数６】
2008199641.tif 000008
【００３８】
ここで、本例では、２段目以降のピーク抑圧信号生成手段６４、６５の構成を１段目のピーク抑圧信号生成手段６３の構成とは異ならせたが、他の構成例として、最初の２個以上の段のピーク抑圧信号生成手段の構成を１段目のピーク抑圧信号生成手段６３の構成と同一とすることも有効である。
一般に、フィルタ係数を使用すると、スペクトル波形と信号品質の劣化が小さいが、ピークを確実に落とせない特徴がある一方、フィルタ係数を使用しないと、スペクトル波形や信号品質の劣化は大きいが、ピークを確実に落とせるという特徴があり、これを考慮して、本例では、フィルタ係数を使用するピーク抑圧信号生成手段６３と、フィルタ係数を使用しないピーク抑圧信号生成手段６４、６５の両方を用いている。また、フィルタ係数は後段の側よりも前段の側で用いられるのが好ましい。
【００３９】
以上のように、本例のピーク電力抑圧手段５１では、Ｎ個のピーク抑圧信号生成手段６３〜６５のうちで、１段目を含む前段のＭ個（Ｍは１以上でＮ以下の整数）のピーク抑圧信号生成手段は、フィルタ係数を使用して、送信信号と同じ周波数帯域に帯域制限を施されたピーク抑圧信号を出力する。
ここで、本例では、帯域制限された複数のピーク抑圧信号を合成して、スペクトル波形を劣化させずに全てのピーク電力を抑圧するような構成とすることも可能である。
【実施例４】
【００４０】
本発明の第４実施例を説明する。
図４には、本発明の一実施例に係るピーク電力抑圧手段８１の構成例及びキャリア検出手段８２を示してある。
本例のピーク電力抑圧手段８１は、ピーク抑圧信号生成のための１個の減算器９１と、２個のピーク抑圧信号生成手段９２、９３と、１個の加算器（ピーク抑圧信号合成手段）９４と、ピーク抑圧信号減算のための１個の減算器９５を備えている。
また、１段目のピーク抑圧信号生成手段９２は、電力算出手段１０１と、ピーク電力検出手段１０２と、ピーク抑圧率算出手段１０３と、フィルタ係数乗算手段１０４を備えている。
また、２段目のピーク抑圧信号生成手段９３は、電力算出手段１１１と、ピーク電力検出手段１１２と、ピーク抑圧率算出手段１１３と、窓関数乗算手段１１４と、乗算器１１５を備えている。
また、キャリア検出手段８２の構成や動作は、図３に示されるキャリア検出手段５２の構成や動作と同様である。
【００４１】
本例のピーク電力抑圧手段８１において行われる動作の一例を示す。
なお、１段の減算器９１と、２段のピーク抑圧信号生成手段９２、９３と、加算器（ピーク抑圧信号合成手段）９４と、減算器９５の配置やこれらにより行われる全体的な動作については、ピーク抑圧信号を生成するための減算器９１及びピーク抑圧信号生成手段９２、９３の段数が異なる点を除いては、第１実施例に係る図１を参照して説明した動作と同様であり、帯域制限されたピーク抑圧信号を生成する１段目のピーク抑圧信号生成手段９２の構成や動作については、図３に示される１段目のピーク抑圧信号生成手段６３の構成や動作と同様であるため、本例では、２段目のピーク抑圧信号生成手段９３の動作について詳しく説明する。
【００４２】
２段目のピーク抑圧信号生成手段９３において、電力算出手段１１１と、ピーク電力検出手段１１２と、ピーク抑圧率算出手段１１３により行われる動作は、１段目のピーク抑圧信号生成手段９２に備えられた対応する各処理部１０１〜１０３により行われる動作と同様である。
窓関数乗算手段１１４は、ピーク抑圧率算出手段１１３から入力されたピーク抑圧率に対して例えば予めメモリに記憶された窓関数を乗算し、当該乗算結果の信号を乗算器１１５へ出力する。なお、窓関数ｗ（ｔ）としては、特に限定は無く、例えば、（式１）〜（式３）に示されるものを用いることができる。
窓掛けの乗算器１１５は、窓関数が乗算されたピーク抑圧率と減算器９１からの入力信号とをサンプル毎に乗算し、当該乗算結果の信号をピーク抑圧信号として加算器９４へ出力する。このような窓掛けにより、２段目のピーク抑圧信号生成手段９３では、周波数帯域がキャリア近傍に抑制されたピーク抑圧信号が生成される。
【００４３】
本例では、加算器（ピーク抑圧信号合成手段）９４は、１段目のピーク抑圧信号生成手段９２及び２段目のピーク抑圧信号生成手段９３から出力された２つのピーク抑圧信号を合成し、当該合成結果である１つのピーク抑圧信号（合成ピーク抑圧信号）を減算器９５へ出力する。また、減算器９５は、加算器９４から出力された合成ピーク抑圧信号を送信信号から減算して、ピーク電力が抑圧された送信信号を出力する。
【００４４】
以上のように、本例のピーク電力抑圧手段８１では、内部に２個のピーク抑圧信号生成手段９２、９３を有しており、１段目のピーク抑圧信号生成手段９２はフィルタ係数を使用して送信信号と同じ周波数帯域に帯域制限を施されたピーク抑圧信号を出力し、２段目のピーク抑圧信号生成手段９３はピーク抑圧率に窓関数を乗算して周波数帯域がキャリア近傍に抑制されたピーク抑圧信号を出力する。
【００４５】
従って、本例のピーク電力抑圧手段８１では、１段目のピーク抑圧信号生成手段９２でフィルタ係数を使用し、２段目のピーク抑圧信号生成手段９３で窓関数を使用する構成とすることで、２段という少ない段数のピーク抑圧信号生成手段９２、９３により効果的にピーク電力を抑圧することができ、回路規模やコストを小さくすることが可能である。
【００４６】
次に、図４に示される本例のピーク電力抑圧手段８１により得られる効果の具体例を示す。
本例では、図４に示される本例のピーク電力抑圧手段８１を用いた場合と図１３に示される比較技術に係るピーク電力抑圧手段２０１を用いた場合について、ピーク電力検出のための閾値を同一のレベルに設定して、キャリア周波数を±２．５ＭＨｚに設定したＷ−ＣＤＭＡの２キャリアの送信信号に対する無線特性を計算機シミュレーションにより取得した。
【００４７】
図９には、計算機シミュレーションにより取得された無線特性を示してあり、具体的には、比較技術と本例について、同一のＰＡＰＲレベルにまでピーク電力を抑圧したときのピーク電力抑圧手段からの出力信号の無線特性を示してある。
ＡＣＬＲ（Ａｄｊａｃｅｎｔ  Ｃｈａｎｎｅｌ  Ｌｅａｋａｇｅ  Ｒａｔｉｏ）は、帯域外の歪のレベル［ｄＢｃ］を示す。
ＥＶＭ（Ｅｒｒｏｒ  Ｖｅｃｔｏｒ  Ｍａｇｎｉｔｕｄｅ）は、信号の帯域内のエラー成分（歪）の大きさ［％］を示す。
ＰＣＤＥ（Ｐｅａｋ  Ｃｏｄｅ  Ｄｏｍａｉｎ  Ｅｒｒｏｒ）は、ＥＶＭと同様にエラーに関するものであり、受信機で復調したときにおけるＷ−ＣＤＭＡのコードの悪さ［ｄＢ］を示す。
【００４８】
図９に示されるように、本例のピーク電力抑圧手段８１を用いた場合には、比較技術のピーク電力抑圧手段２０１を用いた場合と比較して、同一のＰＡＰＲレベルにまでピーク電力を抑圧したときにおける信号品質が大きく改善されている。これにより、例えば、各無線特性の規格値（例えば、３ＧＰＰ規格の規格値）まで信号品質の劣化を許容したときにおける実現可能な最小ＰＡＰＲをより低いレベルとすることが可能である。
一例として、設定規格（ここでは、３ＧＰＰ規格に対してマージンを加えたＡＣＬＲが−６０ｄＢｃ以下、ＥＶＭが１０％以下、ＰＣＤＥが−３５ｄＢ以下と設定した）を満たす最小のＰＡＰＲを計算機シミュレーションにより求めたところ、比較技術に係るピーク電力抑圧手段２０１では６．７ｄＢとなり、本例のピーク電力抑圧手段８１では６．０ｄＢとなり、約０．７ｄＢのＰＡＰＲの改善が確認された。
【００４９】
図１０には、比較技術に係るピーク電力抑圧手段２０１からの出力信号と本例のピーク電力抑圧手段８１からの出力信号について、周波数スペクトルの波形の一例を示してある。グラフの横軸は周波数（Ｆｒｅｑｕｅｎｃｙ）［ＭＨｚ］を示しており、縦軸は電力（Ｐｏｗｅｒ）［ｄＢ］を示している。
図１１には、比較技術に係るピーク電力抑圧手段２０１からの出力信号と本例のピーク電力抑圧手段８１からの出力信号について、上記設定規格を満たす最小のＰＡＰＲを実現するときにおける相補累積分布関数（ＣＣＤＦ：Ｃｏｍｐｌｅｍｅｎｔａｒｙ  Ｃｕｍｕｌａｔｉｖｅ  Ｄｉｓｔｒｉｂｕｔｉｏｎ  Ｆｕｎｃｔｉｏｎ）の曲線の一例を示してある。グラフの横軸はＰＡＰＲ［ｄＢ］を示しており、縦軸はピーク発生確率［％］を示している。
【００５０】
以上のような計算機シミュレーションの結果で示されるように、本例のピーク電力抑圧手段８１を用いることにより、送信信号のＰＡＰＲを低減することができ、高効率の電力増幅器を実現することができる。
具体的には、帯域制限されたピーク抑圧信号と窓掛けを施されたピーク抑圧信号を合成することにより、回路規模の増大を抑えつつ、ＰＡＰＲの低減効果が大きいピーク電力抑圧を実現することができる。
【実施例５】
【００５１】
本発明の第５実施例を説明する。
本例では、図３や図４に示されるピーク電力抑圧手段５１、８１について更に構成例を示す。
ピーク電力の抑圧処理をＩＦ信号に対して施す場合、ピーク抑圧信号に対して帯域制限を施すためのフィルタ係数は、送信信号に含まれる各キャリアの周波数によって変わる。
本例では、送信信号のキャリア数や各キャリアの周波数について設定し得るパターンの数が予め限定されて決められているような構成において、設定し得る各キャリアパターンに応じたフィルタ係数（本例では、複素フィルタ係数）をメモリに予め記憶させておき、フィルタ係数乗算手段７４、１０４は、当該メモリの記憶内容に基づいて、各時点における送信信号のキャリアパターンの設定に応じたフィルタ係数を選択して使用する。なお、このメモリは例えばフィルタ係数乗算手段７４、１０４に設けられる。
【００５２】
また、各キャリアパターンでは例えば送信信号に含まれる各キャリアの周波数が特定され、各時点において設定されているキャリアパターンを特定する情報（キャリアの状態）がキャリア検出手段５２、８２により検出されてフィルタ係数乗算手段７４、１０４へ通知される。
送信信号に複数のキャリアが含まれる場合には、これら複数のキャリアを考慮したフィルタ係数が用いられる。
【００５３】
以上のように、本例のピーク電力抑圧手段５１、８１では、ピーク抑圧信号に帯域制限を施すピーク抑圧信号生成手段６３、９２は、帯域制限に用いるフィルタ係数をメモリに予め記憶させたフィルタ係数の中から送信信号のキャリア周波数設定に応じて選択して使用する。
【実施例６】
【００５４】
本発明の第６実施例を説明する。
本例では、図３や図４に示されるピーク電力抑圧手段５１、８１について更に構成例を示す。
ピーク電力の抑圧処理をＩＦ信号に対して施す場合、ピーク抑圧信号に対して帯域制限を施すためのフィルタ係数は、送信信号に含まれる各キャリアの周波数によって変わる。
本例では、送信信号のキャリア数や各キャリアの周波数について設定し得るパターンの数が限定されていないような構成において、フィルタ係数乗算手段７４、１０４は、ベースバンド信号つまりキャリア周波数が０ＭＨｚである１キャリア信号に対するフィルタ係数を元にして、任意のキャリア周波数設定に対応するフィルタ係数を生成して使用する。
なお、キャリア検出手段５２、８２からフィルタ係数乗算手段７４、１０４へキャリア周波数設定の内容（キャリアの状態）が通知される。
【００５５】
ここで、ベースバンドの１キャリア信号に対するフィルタ係数を元にして任意のキャリア周波数設定に対応するフィルタ係数を生成する処理の手順の一例を示す。
ベースバンドの１キャリア信号に対するフィルタ係数は、通常、複素数ではないが、これはキャリア周波数が０ＭＨｚであるという特殊なケースによるものであり、位相が回転しないことから位相を０に固定することにより、フィルタ係数の虚部を０とすることができる。
まず、ベースバンドの１キャリア信号のフィルタ係数ｔａｐ［ｋ］を（式７）により定義する。ここで、フィルタ係数の長さはＬであり奇数であるとする。また、本例では、トランスバーサルフィルタを用いており、フィルタ係数はタップ係数に相当する。
【００５６】
【数７】
2008199641.tif 000009
【００５７】
次に、（式７）に示されるタップ係数ｔａｐ［ｋ］を持つフィルタの通過帯域をｆ１（＝ω１／２π）［ＭＨｚ］だけ周波数変換する。この周波数変換後の複素フィルタ係数を（式８）により定義すると、（式９）及び（式１０）により表される。ここで、ｔａｐｉ１［ｋ］はフィルタ係数の実部であり、ｔａｐｑ１［ｋ］はフィルタ係数の虚部である。
【００５８】
【数８】
2008199641.tif 000010
【００５９】
【数９】
2008199641.tif 000011
【００６０】
【数１０】
2008199641.tif 000012
【００６１】
ここで、本例では、デジタル領域で処理を行っており、時間ｔは１サンプル当たりの時間幅で推移する。θは位相オフセットの値であり、フィルタ係数のセンター位置つまりｋ＝０において（ω１・ｔ＋θ＝０）となるように、θを決定して設定する。
なお、（式９）及び（式１０）は直交変調を表す。
【００６２】
次に、複数のキャリア周波数に対応するフィルタ係数を合成して、マルチキャリアの帯域に対応することが可能なフィルタ係数を生成する処理の手順の一例を示す。
周波数ｆｎ（＝ωｎ／２π）に対応したフィルタのフィルタ係数を（式１１）により定義する。ここで、ｔａｐｉｎ［ｋ］はフィルタ係数の実部であり、ｔａｐｑｎ［ｋ］はフィルタ係数の虚部である。
【００６３】
【数１１】
2008199641.tif 000013
【００６４】
そして、複数（本例では、ｎ個）の周波数ｆ１、ｆ２、・・・、ｆｎのそれぞれに対応するフィルタ係数を合成したフィルタ係数は、（式１２）及び（式１３）により表され、マルチキャリアに対応する。ここで、ｔａｐｉ［ｋ］はフィルタ係数の実部であり、ｔａｐｑ［ｋ］はフィルタ係数の虚部である。
【００６５】
【数１２】
2008199641.tif 000014
【００６６】
【数１３】
2008199641.tif 000015
【００６７】
また、本例のように複数のフィルタ係数を合成する場合には、ゲインが変動するため、その調整が必要となる。例えば、２キャリア分のフィルタ係数を合成する場合には、合成されたフィルタ係数に（１／２）を乗算してゲインを固定化し、同様に、ｎキャリア分の場合には（１／ｎ）を乗算する。
【００６８】
図５には、本例の手順により生成されたキャリア周波数が＋５ＭＨｚであるＷ−ＣＤＭＡの１キャリア信号に対応するフィルタ係数の伝達関数の一例を示してある。グラフの横軸は周波数（Ｆｒｅｑｕｅｎｃｙ）［ＭＨｚ］を示しており、縦軸はゲイン（Ｇａｉｎ）［ｄＢ］を示している。
図６には、本例の手順により生成されたキャリア周波数が±２．５ＭＨｚであるＷ−ＣＤＭＡの２キャリア信号に対応するフィルタ係数の伝達関数の一例を示してある。グラフの横軸は周波数（Ｆｒｅｑｕｅｎｃｙ）［ＭＨｚ］を示しており、縦軸はゲイン（Ｇａｉｎ）［ｄＢ］を示している。
【００６９】
以上のように、本例のピーク電力抑圧手段５１、８１では、ピーク抑圧信号に帯域制限を施すピーク抑圧信号生成手段６３、９２は、メモリに予め記憶させた１キャリアのベースバンド信号に対応するフィルタ係数に対して送信信号のキャリア周波数に応じてキャリア毎に直交変調演算を施して通過帯域を変更し、キャリア毎に生成されたフィルタ係数を合成することで、送信信号の帯域と同じ通過帯域を有するフィルタ係数を生成して、帯域制限に使用する。
【実施例７】
【００７０】
本発明の第７実施例を説明する。
図１〜図４では、ピーク電力抑圧手段の内部において、複数のピーク抑圧信号生成手段を直列に配置した構成例を示したが、種々な配置が用いられてもよく、他の構成例として、複数のピーク抑圧信号生成手段を並列に配置した構成や、或いは、直列の配置と並列の配置とを組み合わせた構成を用いることも可能である。
【００７１】
図１２には、本発明の一実施例に係るピーク電力抑圧手段１４１の構成例を示してある。
本例のピーク電力抑圧手段１４１は、複数であるｚ個のピーク抑圧信号生成手段Ａ１〜Ａｚと、１個の加算器（ピーク抑圧信号合成手段）１５１と、１個の減算器１５２を備えている。
ここで、複数のピーク抑圧信号生成手段Ａ１〜Ａｚは並列に配置されている。
また、複数のピーク抑圧信号生成手段Ａ１〜Ａｚとしては、例えば、異なる構成を有するものが用いられるのが好ましいが、同一の構成のものが用いられてもよい。
【００７２】
本例のピーク電力抑圧手段１４１において行われる動作の一例を示す。
ピーク電力抑圧手段１４１に入力された送信信号が、各ピーク抑圧信号生成手段Ａ１〜Ａｚ及び減算器１５２に入力される。
各ピーク抑圧信号生成手段Ａ１〜Ａｚは、入力された信号に対してピーク抑圧信号を生成して、加算器１５１へ出力する。
加算器１５１は、複数のピーク抑圧信号生成手段Ａ１〜Ａｚから入力されたピーク抑圧信号を総和（合成）し、当該総和結果である１つのピーク抑圧信号（合成ピーク抑圧信号）を減算器１５２へ出力する。
減算器１５２は、ピーク電力抑圧手段１４１への入力信号（送信信号）から、加算器１５１から入力された合成ピーク抑圧信号を減算し、当該減算結果の信号をピーク電力抑圧後の送信信号として出力する。
【００７３】
また、本例では、例えば、各ピーク抑圧信号生成手段Ａ１〜Ａｚと加算器１５１との間に、或いは、加算器１５１と減算器１５２との間に、或いは、これらの両方の位置に、レベル調整器が備えられて、出力レベルや、キャリア数や、ピーク抑圧信号生成手段Ａ１〜Ａｚの数（段数）などの１つ以上の情報に基づいて、当該レベル調整器によりレベル調整を行う。
【実施例８】
【００７４】
本発明の第８実施例を説明する。
図７には、本発明の一実施例に係る送信機の構成例を示してある。
本例の送信機は、デジタル変調手段１２１と、ピーク電力抑圧手段１２２と、Ｄ／Ａ（Ｄｉｇｉｔａｌ  ｔｏ  Ａｎａｌｏｇ）コンバータ１２３と、周波数変換手段１２４を備えている。
ここで、ピーク電力抑圧手段１２２としては、本実施例において示される種々な構成のものが用いられ、或いは、他の構成のものが用いられてもよい。
【００７５】
本例の送信機において行われる動作の一例を示す。
デジタル変調手段１２１は、例えば入力されたマルチキャリア・ベースバンド信号に対して、キャリア毎に帯域制限を施し、希望のサンプリング周波数へとアップサンプリングし、各キャリア信号毎に希望のＩＦ帯へとデジタル直交変調を施し、マルチキャリア合成してピーク電力抑圧手段１２２へ出力する。このデジタル変調手段の動作はあくまで一例であり、例えばアップサンプリングを行ってから帯域制限を施すなど、他にも様々な方法がとれるため、その詳細な内部動作には拘らない。
ピーク電力抑圧手段１２２は、デジタル変調手段１２１から入力された送信信号に存在するピーク電力を閾値レベルにまで抑圧し、ピーク電力抑圧後の送信信号をＤ／Ａコンバータ１２３へ出力する。
【００７６】
Ｄ／Ａコンバータ１２３は、ピーク電力抑圧手段１２２から入力されたデジタル送信信号をアナログ信号へ変換して、周波数変換手段１２４へ出力する。
周波数変換手段１２４は、アナログ直交変調器から構成されており、Ｄ／Ａコンバータ１２３から入力された信号を希望の無線周波数（ＲＦ：Ｒａｄｉｏ  Ｆｒｅｑｕｅｎｃｙ）帯の信号へ周波数変換して出力する。
【００７７】
ここで、本例では、ピーク電力抑圧手段１２２をデジタル直交変調手段１２１の後段（ＩＦ帯）に配置したが、他の構成例として、ピーク電力抑圧手段１２２をデジタル直交変調手段１２１の前段（ＢＢ帯）に配置する構成が用いられてもよい。なお、図３や図４に示されるようなピーク抑圧信号に対してフィルタ係数を乗算して帯域制限を行う方式のピーク電力抑圧手段を用いた場合は、本例のようにピーク電力抑圧手段１２２がＩＦ帯に配置されることを想定している。
【実施例９】
【００７８】
本発明の第９実施例を説明する。
図８には、本発明の一実施例に係る送信増幅器の構成例を示してある。
本例の送信増幅器は、デジタル変調手段１３１と、ピーク電力抑圧手段１３２と、Ｄ／Ａコンバータ１３３と、周波数変換手段１３４と、電力増幅器１３５を備えている。
【００７９】
本例の送信増幅器において行われる動作の一例を示す。
なお、デジタル変調手段１３１と、ピーク電力抑圧手段１３２と、Ｄ／Ａコンバータ１３３と、周波数変換手段１３４の構成や動作は、図７に示される対応する各処理部１２１〜１２４の構成や動作と同様である。
電力増幅器１３５は、周波数変換手段１３４から出力された信号を入力し、当該入力信号に対して電力増幅を行って出力する。一般に、増幅器に入力される信号にピーク電力が存在すると増幅信号に歪が発生するため、本例のように、増幅対象となる信号（送信信号）に含まれるピーク電力を抑圧することが有効である。
【実施例１０】
【００８０】
本発明の第１０実施例を説明する。
本例では、ピーク電力抑圧機能のオンオフ制御を行う構成例を示す。
図１４には、ピーク電力抑圧機能のオンオフ制御を行う構成例として、減算器３０１とスイッチ３０２を示してあり、これは例えばピーク電力抑圧手段の一部の構成例となる。
ここで、ピーク電力抑圧手段としては、本実施例において示される種々な構成のものが用いられ、或いは、他の構成のものが用いられてもよい。
【００８１】
減算器３０１は、入力された送信信号からピーク抑圧信号（本実施例では、合成ピーク抑圧信号）を減算し、当該減算結果の信号をピーク電力が抑圧された送信信号としてスイッチ３０２へ出力する。なお、送信信号を用いてピーク抑圧信号（本実施例では、合成ピーク抑圧信号）を生成する構成部分については、図示や説明を省略する。
また、減算器３０１は、例えば、図１に示される減算器１７や、図２に示される減算器３７や、図３に示される減算器６７や、図４に示される減算器９５や、図１２に示される減算器１５２に相当する。
【００８２】
スイッチ３０２は、減算器３０１から出力されるピーク電力抑圧後の送信信号をピーク電力抑圧手段から出力する状態と、ピーク電力の抑圧が行われない例えば入力されたままの送信信号をピーク電力抑圧手段から出力する状態とを切り替える機能を有している。スイッチ３０２の切り替え処理は、例えば、ピーク電力抑圧手段の内部或いは外部の制御機能により制御される。また、スイッチ３０２の切り替え処理は、例えば、ユーザ（人）の操作により制御されてもよく、或いは、予め設定された切り替えのための条件などに基づいて制御されてもよい。
【００８３】
このように、本例の構成では、ピーク電力抑圧機能のオンオフ状態を切り替えることができる。特に、本実施例において示されるピーク電力抑圧手段では、複数のピーク抑圧信号を合成して１つにまとめているため、これらのピーク抑圧信号に対して処理や操作を行う場合には、当該合成後のピーク抑圧信号に対して１箇所で処理や操作を行うだけでよく、構成や制御が簡易化される。これは、本実施例のように複数のピーク抑圧信号を合成する構成の利点である。
【００８４】
具体例として、送信機等の機器では、その出荷前の調整において機器（ピーク電力抑圧手段を含む機器）にテストパターンの信号を流すことがよく行われており、例えば、無変調波を送信して歪補償係数の初期設定値を求めるときなどに行われている。これに際して、ピーク電力の抑圧によってテストパターンの信号が変化してしまうことを回避するために、ピーク電力抑圧機能をオフにすることが必要である或いは望ましい場合がある。
これに対して、本例のようにピーク電力抑圧機能のオンオフ制御を行う構成では、例えば、ピーク電力抑圧手段において、ピーク抑圧信号合成手段や減算器３０１の後段に１つのスイッチ３０２を備えてそれを制御するだけで実現することができ、簡易な構成や制御により、ピーク電力抑圧機能のオンオフ切り替えを実現することができる。
【００８５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【図面の簡単な説明】
【００８６】
【図１】本発明の第１実施例に係るピーク電力抑圧手段の構成例を示す図である。
【図２】本発明の第２実施例に係るピーク電力抑圧手段の構成例を示す図である。
【図３】本発明の第３実施例に係るピーク電力抑圧手段の構成例を示す図である。
【図４】本発明の第４実施例に係るピーク電力抑圧手段の構成例を示す図である。
【図５】本発明の第６実施例に係るフィルタ係数の伝達関数の一例を示す図である。
【図６】本発明の第６実施例に係るフィルタ係数の伝達関数の一例を示す図である。
【図７】本発明の第８実施例に係る送信機の構成例を示す図である。
【図８】本発明の第９実施例に係る送信増幅器の構成例を示す図である。
【図９】ピーク電力抑圧手段の性能の比較の一例を示す図である。
【図１０】周波数スペクトルの一例を示す図である。
【図１１】相補累積分布関数の一例を示す図である。
【図１２】本発明の第７実施例に係るピーク電力抑圧手段の構成例を示す図である。
【図１３】ピーク電力抑圧手段の構成例を示す図である。
【図１４】本発明の第１０実施例に係るピーク電力抑圧機能のオンオフ制御を行う構成例を示す図である。
【符号の説明】
【００８７】
１、２１、５１、８１、１２２、１３２、１４１、２０１・・ピーク電力抑圧手段、  １１、１２、１７、３１、３２、３７、６１、６２、６７、９１、９５、１５２、２１６、３０１・・減算器、  １３〜１５、３３〜３５、６３〜６５、９２、９３、Ａ１〜Ａｚ、３０３・・ピーク抑圧信号生成手段、  １６、３６、６６・・ピーク抑圧信号合成手段、  ４１、７１、１０１、１１１、２１１・・電力算出手段、  ４２、７２、１０２、１１２、２１２・・ピーク電力検出手段、  ４３、７３、１０３、１１３、２１３・・ピーク抑圧率算出手段、  ４４、１１５、２１５・・乗算器、  ５２、８２・・キャリア検出手段、  ７４、１０４・・フィルタ係数乗算手段、  ９４、１５１・・加算器、  １１４、２１４・・窓関数乗算手段、  １２１、１３１・・デジタル変調手段、  １２３、１３３・・Ｄ／Ａコンバータ、  １２４、１３４・・周波数変換手段、  １３５・・電力増幅器、  ３０２・・スイッチ、
【図１】
2008199641.tif 000016
【図２】
2008199641.tif 000017
【図３】
2008199641.tif 000018
【図４】
2008199641.tif 000019
【図５】
2008199641.tif 000020
【図６】
2008199641.tif 000021
【図７】
2008199641.tif 000022
【図８】
2008199641.tif 000023
【図９】
2008199641.tif 000024
【図１０】
2008199641.tif 000025
【図１１】
2008199641.tif 000026
【図１２】
2008199641.tif 000027
【図１３】
2008199641.tif 000028
【図１４】
2008199641.tif 000029